(57)【要約】【課題】耐久性・耐水性に優れると共に、扉体に対する着脱が容易で、かつ、繰り返し使用が可能な養生材を提供する。【解決手段】扉体２の室外側の面部２ａの所定部位を覆うプラスチックダンボール製の第１保護材３Ａと、扉体２の室内側の面部２ｂの所定部位を覆うプラスチックダンボール製の第２保護材３Ｂと、第１保護材３Ａ、第２保護材３Ｂで扉体２を挟んだ状態で、扉体２の戸先側の側面部２ｃ、戸尻側の側面部２ｄのそれぞれを横切るように延出し、第１保護材３Ａと第２保護材３Ｂ間に着脱自在に装着される伸縮可能な複数の固定バンド４と、からなるドア用養生材。【選択図】図２
2007247304.tif 000002
【特許請求の範囲】
【請求項１】
扉体の室外側の面部の所定部位を覆うプラスチックダンボール製の第１保護材と、
扉体の室内側の面部の所定部位を覆うプラスチックダンボール製の第２保護材と、
前記第１保護材と前記第２保護材間に着脱自在に装着される複数の固定バンドと、
からなり、
前記固定バンドは、前記第１保護材、前記第２保護材で扉体を挟んだ状態で、扉体の戸先側の側面部、戸尻側の側面部のそれぞれを横切るように延出すると共に、少なくとも戸先側の固定バンドは、長さ方向に伸縮可能である、
ドア用養生材。
【発明の詳細な説明】
【技術分野】
【０００１】
本発明は、ドア用養生材に係り、詳しくは、マンションや戸建住宅の建物開口部に扉体を吊り込んだ後〜引き渡すまでの間、扉体を保護するための養生材に関するものである。
【背景技術】
【０００２】
マンションや戸建住宅の玄関枠及びドアの取り付けは、建物開口部に玄関ドア枠を取り付け、内装工事を行い、内装工事がある程度終了した後に、玄関ドアを構成する扉体を玄関ドア枠に吊り込むようにして行われる。扉体は工場出荷時に紙製ダンボール養生をした状態で納入され、養生をしたまま吊り込まれる。当該ダンボールの主目的は、運搬時・搬入時の傷防止であるが、吊りこみ後においても、当該ダンボールをガムテープ等で固定することで、そのまま扉体の養生材としている。このようなダンボールからなるドア用養生材は特許文献１に記載されている。
【０００３】
しかしながら、現行の紙製ダンボール養生は、凹みやこすり傷に耐えられる強度が低いので、扉吊り込み〜完工引渡しまでの期間に、工事業者が扉体にぶつかったり、脚立や腰道具等がぶつかったりすると、ドアに傷が付いてしまうおそれがある。
【０００４】
また、引渡しまでの期間中に客先の検査、内覧会等養生を剥がす機会がしばしばあり、紙製ダンボールでは、一度剥がすと破れたりして見苦しいため、殆どが引き渡し前に破棄されてしまい、それ以降は養生が無い状態となって扉体に傷が付いてしまう場合がある。さらには、紙製ダンボールは水に弱いという欠点がある。特に、竣工近くになるとクリーニング業者が壁や床などを水洗いするため、紙製ダンボールが吸水することで扉体の表面材に悪影響を与えてしまうおそれもある。
【特許文献１】実用新案登録第２５３６６６４号
【発明の開示】
【発明が解決しようとする課題】
【０００５】
本発明は、耐久性・耐水性に優れると共に、扉体に対する着脱が容易で、かつ、繰り返し使用が可能な養生材を提供することを目的とするものである。
【課題を解決するための手段】
【０００６】
かかる課題を達成するために本発明が採用したドア用養生材は、扉体の室外側の面部の所定部位を覆うプラスチックダンボール製の第１保護材と、扉体の室内側の面部の所定部位を覆うプラスチックダンボール製の第２保護材と、前記第１保護材と前記第２保護材間に着脱自在に装着される複数の固定バンドと、からなり、前記固定バンドは、前記第１保護材、前記第２保護材で扉体を挟んだ状態で、扉体の戸先側の側面部、戸尻側の側面部のそれぞれを横切るように延出すると共に、少なくとも戸先側の固定バンドは、長さ方向に伸縮可能である。上記「所定部位」とは、少なくとも扉体に傷が付き易い部位を含み、１つの態様では、扉体において、ドアスコープよりの下方部位であるが、「所定部位」は扉体の略全高を覆う部位であってもよい。
【０００７】
本発明に係るドア用養生材が適用される扉体は、１つの態様では、いわゆる一般的な扉体であって、前記扉体の前記戸先側の側面部は平面状の見込み面のみからなる。他の態様では、前記扉体には、前記戸先側の側面部の室外側から扉体の見付け方向に延出する突片が扉体の高さ方向に亘って設けられており、扉体の閉鎖時には、前記伸縮可能な固定バンドが、ドア枠の戸先側縦枠と前記突片とに挟まれて変形可能である。
【発明の効果】
【０００８】
本発明の養生材に係る第１保護材、第２保護材は、プラスチックダンボールからなり、従来の紙製ダンボールに比べて耐久性・耐水性に優れる。したがって、本発明の第１保護材、第２保護材は、脱着を繰り返しても劣化することはなく、繰り返しの使用に耐え得るものであり、再利用が可能である。また、第１保護材、第２保護材が吸水して扉体の面部に悪影響を及ぼすこともない。本発明の第１保護材、第２保護材は、当該保護材に対して着脱可能な固定バンドを用いて、扉体に簡単に固定することができ、また、扉体からの取り外しも簡単である。
【０００９】
第１保護材、第２保護材を扉体に固定するための少なくとも戸先側の固定バンドは長さ方向に伸縮可能であるので、固定バンドを適度に伸長させた状態で、第１保護材、第２保護材に固定しておけば、固定バンドが弛むことなく、しっかりと第１保護材、第２保護材を扉体に対して保持固定することができる。また、伸縮可能な固定バンドは、扉体の閉鎖時には、扉体の戸先側の側面部とドア枠の戸先側の縦枠との間に挟まれて、扉体の戸先側の側面部の形状、ドア枠の戸先側の縦枠の形状に沿って変形可能であり、扉体の戸先側の側面部を横切って延出する固定バンドによって、扉体の閉鎖に支障を来たすことがない。特に、前記扉体に、戸先側の側面部の室外側から扉体の見付け方向に延出する突片が扉体の高さ方向に亘って設けられている場合に、扉体の閉鎖時に、伸縮可能な固定バンドが、ドア枠の戸先側縦枠と前記突片とに挟まれて変形することで、扉体の閉鎖が良好に行われる。
【発明を実施するための最良の形態】
【００１０】
図１は、ドアの内観図及外観図であり、縦長方形状のドア枠１に対して、縦長方形状の扉体２が回動可能に取り付けられており、ドア枠１に対して扉体２を回動させることで、ドア枠１で形成された建物開口部を開閉する。ドア枠１は、上枠１ａ、下枠１ｂ、戸先側縦枠１ｃ、戸尻側縦枠１ｄから構成された四周枠である。扉体２は、室外側の面部２ａと室内側の面部２ｂとを有しており、室外側面部２ａ、室内側面部２ｂが扉体２の見付け面を構成している。図６乃至図８に示すように、扉体２は、戸先側の側面部２ｃと戸尻側の側面部２ｄとを有しており、これらの側面部２ｃ，２ｄが扉体２の見込み面を構成している。
【００１１】
扉体２の室外側及び室内側の両方の面部２ａ，２ｂの高さ方向略中間位置には、戸先側に位置して取手２ｅが設けてある。扉体の室内側の面部２ｂの上方部位には、戸尻側に位置してドアクローザ２ｆが設けてある。扉体の戸尻側端部は、蝶番２ｇを介してドア枠に取り付けられており、扉体２は蝶番２ｇを回動支点として、ドア枠１に対して回動可能となっている。扉体２の室内外の面部２ａ，２ｂには、扉体２の幅方向の中間部位で、高さ方向の中間部位よりも上方に位置してドアスコープ２ｈが室内外の面部２ａ，２ｂを連通するように設けてある。
【００１２】
本発明に係るドア用養生材は、扉体２の室外側の面部２ａを覆うプラスチックダンボール製の第１保護材３Ａと、扉体２の室内側の面部２ｂを覆うプラスチックダンボール製の第２保護材３Ｂと、第１保護材３Ａ、第２保護材３Ｂで扉体２を挟んだ状態で、扉体２の戸先側の側面部２ｃ、戸尻側の側面部２ｄをそれぞれ横切るように延出して、第１保護材３Ａと第２保護材３Ｂ間を連結する固定バンド４とからなる。固定バンド４は長さ方向に伸縮可能であり、長さ方向一端側は、第１保護材３Ａに、長さ方向他端側は、第２保護材３Ｂに、それぞれ着脱自在に固定される。
【００１３】
第１保護材３Ａの縁部は、上辺３ａと、下辺３ｂと、戸先側の側辺３ｃと、戸尻側の側辺３ｄと、からなり、戸先側の側辺３ｃの上方部位は段部状となっている。すなわち、上辺３ａの戸先側かつ戸先側の側辺３ｃの上方部位の角部は、取手２ｅに対応して切り欠かれている。
【００１４】
第１保護材３Ａの高さは、扉体２の下端からドアスコープ２ｈまでの高さより少し低い高さを有しており、第１保護材３Ａの上辺３ａは、ドアスコープの直ぐ下に位置して扉体２の幅方向に水平状に延出している。第１保護材３Ａの幅寸法は、扉体２の面部２ａ，２ｂの幅寸法と略同じ寸法を有している。図示の実施形態では、第１保護材３Ａの幅寸法は、扉体２の面部２ａ，２ｂの幅寸法より若干小さい寸法となっている。第１保護材３Ａには、左右の側辺３ｃ、３ｄに近接して、複数の面ファスナの雌部３０が高さ方向に間隔を存して設けてある。
【００１５】
第２保護材３Ｂは、第１保護材３Ａと左右対称の形状を有している点を除き、同一の構成を有しており、同一の辺には共通の参照番号が付してあり、第１保護材３Ａの説明を援用することができる。
【００１６】
図５に示すように固定バンド４は、所定の長さを有する帯状部材であり、長さ方向両端部の裏面には、面ファスナの雄部４Ａ，４Ｂがそれぞれ設けてある。一方の面ファスナの雄部４Ａは、第１保護材３Ａの面ファスナの雌部３０に、他方の面ファスナの雄部４Ｂは、第２保護材３Ｂの面ファスナの雌部（図示せず）に、それぞれ着脱自在に固定される。固定バンド４は、織ゴムを主材としており、長さ方向に伸縮可能である。図示の例では、保護材３Ａ，３Ｂ側に面ファスナの雌部が、固定バンド４側に面ファスナの雄部が形成されているが、保護材３Ａ，３Ｂ側に面ファスナの雄部を、固定バンド４側に面ファスナの雌部を形成してもよい。
【００１７】
図２、図３は本発明に係る養生材で養生付けされたドアを示す図である。図６は、図２の横断面図である。固定バンド４は、戸先側の側面部２ｃ、戸尻側の側面部２ｄをそれぞれ横切るようにして、扉体２の保護材３Ａ，３Ｂ間を架け渡すようにして固定される。第１保護材３Ａには、左右の側辺３ｃ、３ｄに近接して、複数の面ファスナの雌部３０が高さ方向に間隔を存して設けてある。同様に、第２保護材３Ｂには、左右の側辺３ｃ、３ｄに近接して、複数の面ファスナの雌部（図示せず）が高さ方向に間隔を存して設けてある。固定バンド４の面ファスナの雄部４Ａ、４Ｂのいずれか一方を第１保護材３Ａの面ファスナの雌部３０、第２保護材３Ｂの面ファスナの雌部のいずれか一方に装着し、固定バンド４を扉体２の見込み面（側面部２ｃ、２ｄ）を横切るように架け渡して、他方の雄部と他方の雌部同士を装着する。上辺３ａの戸先側と側辺３ｃの上方側とで形成される角部は、両面テープ５で扉体２の面部２ａ，２ｂに仮止めされる。第１保護材３Ａ、第２保護材３Ｂは、扉体２の室外側の面部２ａ及び室内側の面部２ｂにおいて、ドアスコープ２ｈから下方の略全領域（取手２ｅに対応する部位を除いて）を覆って保護している。かかる部位は、傷が付き易い部位であり、かかる部位を第１保護材３Ａ、第２保護材３Ｂで覆うことで、面部２ａ，２ｂを保護する。また、第１保護材３Ａ、第２保護材３Ｂは、取手２ｅ、ドアスコープ２ｈを覆うものでないので、第１保護材３Ａ、第２保護材３Ｂによってドアの基本的な機能（取手２ｅによる扉体２の開閉操作、ドアスコープ２ｈを通した確認）が損なわれることがない。
【００１８】
さらに、図６、図７に示すように、扉体２には、戸先側の側面２ｃの室外側から扉体２の見付け方向に延出する突片２Ａが扉体２の高さ方向に全長に亘って設けられている。固定バンド４を扉体２の戸先側の側面部２ｃを横切って延出するようにして、第１保護材３Ａ、第２保護材３Ｂ間に取り付けた場合には、図７の２点鎖線で示すように、固定バンド４は傾斜状に張られた状態となる。ここで、固定バンド４は長さ方向に伸縮可能なので、扉体２の閉鎖時には、傾斜状に張られた固定バンド４は、そのまま突っ張ることなく、ドア枠１の戸先側縦枠１ｃと突片２Ａとの間で挟まれて扉体２の戸先側見込み面及びドア枠１の戸先側縦枠１ｃの形状に沿って変形することができ、扉体２の閉鎖に支障を来たすことがない。また、固定バンド４を適度に伸長させた状態で、第１保護材３Ａ、第２保護材３Ｂに固定しておけば、固定バンド４が弛むことなく、しっかりと第１保護材３Ａ、第２保護材３Ｂを扉体２に対して保持固定することができる。
【００１９】
本発明に係る養生材を用いた養生について説明する。扉体２は、工場出荷時に紙製ダンボール養生をした状態で納入され、養生をしたままドア枠１に吊り込まれる。扉体２の吊り込み後、紙製ダンボール養生を取り外して、本発明に係るプラスチックダンボール製の第１保護材３Ａ、第２保護材３Ｂを、固定バンド４を用いて、扉体２の面部２ａ，２ｂの所定部位（図示の例では、ドアスコープ２ｈより下方部位）を覆うように装着する。
【００２０】
扉体２の吊り込み後、竣工引渡しまでの間には、各種検査実施や手直しが行われ得るが、その間は、衝撃に強いプラスチックダンボール製の第１保護材３Ａ、第２保護材３Ｂによって、扉体２の面部２ａ，２ｂが保護されており、工事業者がドアにぶつかったり、脚立や腰道具等がぶつかったりしても、扉体２に凹みや傷が付くことがない。
【００２１】
本発明に係る養生材は、第１保護材３Ａ、第２保護材３Ｂを扉体２の室内外の面部２ａ，２ｂにあてがい、これらを複数本の固定ベルト４を用いて、面ファスナを介して取り付けるので、扉体２に対する取り付けが簡単である。また、第１保護材３Ａ、第２保護材３Ｂは、取り付けのみならず取り外しも簡単であり、引渡しまでの期間中に客先の検査、内覧会等において第１保護材３Ａ、第２保護材３Ｂを取り外す機会があっても、第１保護材３Ａ、第２保護材３Ｂの脱着に手間がかからない。
【００２２】
プラスチックダンボール製の第１保護材３Ａ、第２保護材３Ｂは、紙製ダンボールに比べて耐久性に優れるので、引渡しまでの期間中に客先の検査、内覧会等において第１保護材３Ａ、第２保護材３Ｂを繰り返し脱着しても、第１保護材３Ａ、第２保護材３Ｂが劣化することがない。また、プラスチックダンボール製の第１保護材３Ａ、第２保護材３Ｂは、紙製ダンボールに比べて耐水性に優れるので、壁や床などを水洗いした場合であっても、扉体の表面材に悪影響を与えるようなことがない。
【産業上の利用可能性】
【００２３】
本発明は、ドアの養生に利用することができる。
【図面の簡単な説明】
【００２４】
【図１】ドアの内観図及外観図である。
【図２】本発明に係る養生材を取り付けた状態でのドアの外観図である。
【図３】本発明に係る養生材を取り付けた状態でのドアの内観図である。
【図４】第１保護材を示す図である。
【図５】固定バンドを示す図である。
【図６】図２の横断面図である。
【図７】図２の戸先側の部分拡大図である。
【図８】図２の戸尻側の部分拡大図である。
【符号の説明】
【００２５】
１    ドア枠
２    扉体
２Ａ  突片
２ａ  室外側の面部
２ｂ  室内側の面部
２ｃ  戸先側の側面部
２ｄ  戸尻側の側面部
３Ａ  第１保護材
３Ｂ  第２保護材
３０  面ファスナ雌部
４    固定バンド
４Ａ  面ファスナ雄部
４Ｂ  面ファスナ雄部
【図１】
2007247304.tif 000003
【図２】
2007247304.tif 000004
【図３】
2007247304.tif 000005
【図４】
2007247304.tif 000006
【図５】
2007247304.tif 000007
【図６】
2007247304.tif 000008
【図７】
2007247304.tif 000009
【図８】
2007247304.tif 000010